(57)【要約】  【課題】  従来のロールボックスパレットの枠体を利用して、簡単に断熱パネルを装着可能とすることで、冷蔵品を収納可能な程度の保冷性を備える構成となる冷蔵用ロールボックスパレットを提供することである。【解決手段】  従来のボックスパレット１Ａの枠体に配設される横桟部材に直接、断熱パネルとして背面パネル２Ｂと左側面パネル２Ｃと右側面パネル２Ｄとを固着して、前記枠体に蝶番部材を介してドアパネル２Ａを回動自在に装着する構成として、底パネル２Ｆと天井パネル２Ｅとを、前記横桟部材に固着されるパネルとそれぞれコーナーアングル部材により固着する構成とした。【選択図】    図１
2005059893.tif 000002
【特許請求の範囲】
【請求項１】
ボックス状の枠体を有するロールボックスパレットであって、
前記枠体の側部の三方に横桟部材を配設して、該横桟部材に断熱パネルである背面パネルと左側面パネルと右側面パネルとを固着し、横桟部材を備えていない側部の残りの一方に断熱パネルからなるドアパネルを前記枠体に支持される蝶番部材を介して配設すると共に、前記横桟部材に固着される三方のパネルとそれぞれ角部を接する下面の底パネルと上面の天井パネルとをそれぞれコーナーアングル部材により固着する構成としたことを特徴とする冷蔵用ロールボックスパレット。
【請求項２】
前記ドアパネルを閉止状態に維持するためのロック部材を前記枠体が支持する構成としたことを特徴とする請求項１に記載の冷蔵用ロールボックスパレット。
【請求項３】
前記枠体の内部に全ての構成物を収納した構成であることを特徴とする請求項１または２に記載の冷蔵用ロールボックスパレット。
【請求項４】
前記断熱パネルを内面板と外面板とで硬質ウレタンフォームを被覆するように構成したサンドイッチ構造とすると共に、パネル縁端部に段付き形状の形枠を配設して、パネル同士を組み合わせた際に前記パネル縁端部同士をインロー型重ね合わせとして、隙間のない嵌め込み構成としたことを特徴とする請求項１から３のいずれかに記載の冷蔵用ロールボックスパレット。
【請求項５】
前記ドアパネルの形枠部の内面側全周にパッキン部材を配設し、前記ドアパネルを閉めた時に、前記パッキン部材が隣接する断熱パネル端部に密着して、周囲全体を断熱パネルで覆われると共に密閉された内部空間を形成する構成としていることを特徴とする請求項４に記載の冷蔵用ロールボックスパレット。
【請求項６】
前記内面板がステンレス鋼板であることを特徴とする請求項４または５に記載の冷蔵用ロールボックスパレット。
【発明の詳細な説明】
【技術分野】
【０００１】
本発明は、物品を運搬する際に使用するロールボックスパレットに関し、特に食品関連商品等を運搬するのに好適な保冷性を備える冷蔵用ロールボックスパレットに関するものである。
【背景技術】
【０００２】
従来、商品等を運搬するために、キャスター付きのロールボックスパレットが用いられている。また、このロールボックスパレットは一般に、物品を載置する台板であるパレットの上部に金属パイプ或いは金属フレームによりボックス状の枠体を構成し物品を収納可能としたものであって、側部の一方を開閉自在なドア部とし、商品の出し入れを行うような構成としている。
【０００３】
また、冷凍品や冷蔵品を運搬するために、断熱パネルをフレーム状に組み立てて、保冷ボックスを構成したコールドロールボックスも知られている。
【０００４】
しかし、前記のコールドロールボックスは断熱パネル自体をフレーム構成するために、それぞれの断熱パネルを強固に頑丈に製造する必要がある。そのために、金属板の外板とウレタンコア材とでサンドイッチ構成としている断熱パネルを厚くすると共に、頑丈な作りとしており、全体重量も肥大化している。
【０００５】
そのために、外板として金属板ではなく繊維強化樹脂を用いて軽量化を図るとしたロールボックスパレットが公開されている。（例えば、特許文献１参照）
【特許文献１】特開２００１−１８９７１号公報（第１−４頁、第１図）
【発明の開示】
【発明が解決しようとする課題】
【０００６】
金属パイプ或いは金属フレームにより構成されたボックス状の枠体を備えるロールボックスパレットを用いている商店や配送現場において、時には冷蔵品を収納可能な程度の保冷性を要求される場合がある。その時に、冷凍・冷蔵性を備えるコールドロールボックスを採用することは、設備投資が過大となり効率がよいとはいえない。
【０００７】
本発明の目的は、上記問題点を解消するために、従来のロールボックスパレットの枠体を利用して、簡単に断熱パネルを装着可能とすることで、冷蔵品を収納可能な程度の保冷性を備える構成となる冷蔵用ロールボックスパレットを提供することである。
【課題を解決するための手段】
【０００８】
上記の目的を達成するために請求項１に係る発明は、ボックス状の枠体を有するロールボックスパレットであって、前記枠体の側部の三方に横桟部材を配設して、該横桟部材に断熱パネルである背面パネルと左側面パネルと右側面パネルとを固着し、横桟部材を備えていない側部の残りの一方に断熱パネルからなるドアパネルを前記枠体に支持される蝶番部材を介して配設すると共に、前記横桟部材に固着される三方のパネルとそれぞれ角部を接する下面の底パネルと上面の天井パネルとをそれぞれコーナーアングル部材により固着する構成としたことを特徴としている。
【０００９】
上記の構成を有する請求項１に係る発明によれば、物品を載置する台板であるパレットの上部に金属パイプ或いは金属フレームによりボックス状の枠体を構成した従来のロールボックスパレットの枠体に断熱パネルを容易に組付けることができ、保冷性を備える冷蔵用ロールボックスパレットを簡単に得ることができる。
【００１０】
請求項２に係る発明は、前記ドアパネルを閉止状態に維持するためのロック部材を前記枠体が支持する構成としたことを特徴としている。
【００１１】
上記の構成を有する請求項２に係る発明によれば、ドアパネルを開閉するための蝶番部材とロック部材とを、従来のロールボックスパレットの枠体が支持する構成となるので、背面パネルと左側面パネルと右側面パネルと底パネルと天井パネルと共に、該ドアパネルをも前記枠体が一体的に支持する構成とすることができる。
【００１２】
請求項３に係る発明は、前記枠体の内部に全ての構成物を収納した構成であることを特徴としている。
【００１３】
上記の構成を有する請求項３に係る発明によれば、運搬中に断熱パネルや蝶番部材やロック部材やハンドル等を破損することがない。
【００１４】
請求項４に係る発明は、前記断熱パネルを内面板と外面板とで硬質ウレタンフォームを被覆するように構成したサンドイッチ構造とすると共に、パネル縁端部に段付き形状の形枠を配設して、パネル同士を組み合わせた際に前記パネル縁端部同士をインロー型重ね合わせとして、隙間のない嵌め込み構成としたことを特徴としている。
【００１５】
上記の構成を有する請求項４に係る発明によれば、保冷性を備えるロールボックスパレットとすることができる。
【００１６】
請求項５に係る発明は、前記ドアパネルの形枠部の内面側全周にパッキン部材を配設し、前記ドアパネルを閉めた時に、前記パッキン部材が隣接する断熱パネル端部に密着して、周囲全体を断熱パネルで覆われると共に密閉された内部空間を形成する構成としていることを特徴としている。
【００１７】
上記の構成を有する請求項５に係る発明によれば、断熱パネルで密閉した内部空間としているので、保冷性を向上することができる。
【００１８】
請求項６に係る発明は、前記内面板がステンレス鋼板であることを特徴としている。
【００１９】
上記の構成を有する請求項６に係る発明によれば、食品等を安全に収納し運搬することができる冷蔵用ロールボックスパレットとすることができる。
【発明の効果】
【００２０】
上記したように本発明によれば、従来のロールボックスパレットの枠体を利用して、簡単に断熱パネルを装着可能とすることで、冷蔵品を収納可能な程度の保冷性を備える構成となる冷蔵用ロールボックスパレットを得ることができる。
【発明を実施するための最良の形態】
【００２１】
従来のロールボックスパレットに、冷蔵品を収納可能な程度の保冷性を持たせるという目的を、ロールボックスパレットの枠体を利用して、該枠体に断熱パネルやドアパネルを装着する構成とすることで実現した。
【実施例】
【００２２】
以下、本発明に係る冷蔵用ロールボックスパレットの実施例について、図１から図６に基づいて説明する。
【００２３】
図１は本発明に係る冷蔵用ロールボックスパレットの全体概略図であり、図２はその骨組みである従来のロールボックスパレットのフレーム構成を示す斜視図である。図３は断熱パネルの配置図であり、図４は断熱パネルが装着された冷蔵用ロールボックスパレットの全体側面図である。図５は平面断面図であり、図６には段付き形状の形枠を配設したパネル縁端部同士のインロー型重ね合わせを示す断面図である。
【００２４】
図１から図３より本発明に係る冷蔵用ロールボックスパレット１について説明する。前記ロールボックスパレット１は、図２に示す金属パイプ或いは金属フレームにより構成されるフレーム１１、１２、１３を備えるボックスパレット１Ａに、図３に示す断熱パネルを組み付けて構成されている。
【００２５】
図２に示すように、ボックスパレット１Ａは、キャスター１８を備えるパレット１０上に金属パイプ或いは金属フレームにより構成されるフレーム１１とフレーム１２とフレーム１３とを立設して、隣り合うフレーム同士を連結部材１４にて連結し、ボックス状の枠体としたものである。
【００２６】
フレーム１１を台座１９Ａに溶接等により固着して一体とした後で、前記パレット１０に立設する。フレーム１２も同様に台座１９Ｂを介してパレット１０に立設され、フレーム１３は台座１９Ｃを介してパレット１０に立設されている。その後で、フレーム１１とフレーム１３とを、連結部材１４にて上、中、下の三箇所を連結し、フレーム１２とフレーム１３とを同様に連結して固定し、枠体を形成している。
【００２７】
また、フレーム１１には横桟部材１５が上、中、下三箇所にそれぞれ配設されている。フレーム１２には同様に横桟部材１６が三箇所に配設され、フレーム１３には横桟部材１７が上、中、下三箇所にそれぞれ配設されている。
【００２８】
前記のフレーム構成によりボックス状の枠体を形成しているので、フレームが配設されていない側の側部から荷物を出し入れして、このままの状態で荷物を運搬する台車として利用可能であるが、本実施例では、図３に示すような断熱パネル２を組み付けて保冷性を備えるように構成した。
【００２９】
断熱パネル２は図に示すように、外面板２１と内面板２２とで、硬質ウレタンフォーム２０を被覆したサンドイッチ構造のパネル部材である。また、パネルの縁には全周に渡って、段付き形状の形枠２３を装着しており、パネルの縁端部がインロー型に重ね合わせ可能な構成（図６（ａ）参照）とされている。そのために、一方のパネルには形枠２３Ａ形状の形枠を使用し、他方のパネルには形枠２３Ｂ形状の形枠を使用することで、図６（ａ）に示すように、その角部同士をぴったり重ね合わせることができる。
【００３０】
前記断熱パネル２は形枠２３に外面板２１と内面板２２とを貼り合わせて形成した中空内部に発泡樹脂である硬質ウレタンフォームを注入して構成したサンドイッチパネルであって、内部には適当な箇所に補強板２４を取り付けている。また、断熱パネル２として図３に示すように、パレット１０に底パネル２Ｆを載置して、側部の三方には背面パネル２Ｂと左側面パネル２Ｃと右側面パネル２Ｄとを組み付ける。この時に、背面パネル２Ｂは前記横桟部材１７に押し付けて、左側面パネル２Ｃは前記横桟部材１６に押し付けて、右側面パネル２Ｄは横桟部材１５に押し付けるようにすると共に、それぞれの横桟部材にネジ止めにより固着する構成としている。例えば前記横桟部材１７に背面パネル２Ｂを取り付ける際には、ネジ孔１７ａ部にてネジ止めする構成としている。
【００３１】
底パネル２Ｆと背面パネル２Ｂと左側面パネル２Ｃと右側面パネル２Ｄとを組み付けたあとで、天井パネル２Ｅを前述したようにインロー型に重ね合わせて組み付ける。また、それぞれの角部にはコーナーアングル部材をネジ止めにて装着することで、枠組み強度を備えるボックス状の枠体を形成する。この時に、隣接する三枚のパネルを固着する際には取付面３ａを三方に備えるコーナーアングル部材３を装着し、ドアパネルを装着する側の底パネル２Ｆと側面パネル２Ｄとを連結する際のような二枚のパネルを固着する際には、二面に取付面３ａを備えるコーナーアングル部材３Ａを装着すればよい。
【００３２】
底パネル２Ｆと背面パネル２Ｂと左側面パネル２Ｃと右側面パネル２Ｄと天井パネル２Ｅを組み付けた後で、図１または図５に示すドアパネル２Ａを組み付ける。
【００３３】
それぞれのパネルの形枠に嵌め込むようにドアパネル２Ａを装着し、一方の側面であるフレーム１１に取り付けた蝶番部材４を固着する。前記蝶番部材４は上下に二箇所配設する構成としているが、数量を特に限定するものではなく、上中下の三箇所に配設する構成としてもよい。
【００３４】
また、前記蝶番部材４をフレーム１１に対して回動自在となるように取り付けて、前記ドアパネル２Ａは閉まった位置と開放した位置とに略２７０°回動自在となるように構成した。そのために、前記ドアパネル２Ａを開放する際には、図５に示す矢印Ｋ１方向に回動して、フレーム１１の外側に接するまで開放自在としている。
【００３５】
また、ドアパネル２Ａには、ハンドル６とロック固定具５Ｂが配設されている。前記ロック固定具５Ｂは、把手ヒンジ５Ａと上把手５Ｃと下把手５Ｅと連接リンク５Ｄとでロック部材５を構成している。前記連接リンク５Ｄは上把手５Ｃと下把手５Ｅとを連接しているリンク部材であって、上把手５Ｃを把持して該把手５Ｃをロック固定具５Ｂと着脱する操作に連動して下把手５Ｅを下側のロック固定具５Ｂと着脱するように構成している。そのために、上と下との二箇所にロック固定具５Ｂを配設して二個の把手部材によりロックする構成としても、片手で同時に把手部材の着脱操作を行うことができる。
【００３６】
前記把手ヒンジ５Ａはフレーム１２に対して回動自在に取り付けられており、前記上把手５Ｃを把持して回動することで、前記連接リンク５Ｄを介して前記下把手５Ｅも同時に回動する。さらにこの回動する範囲を図５の矢印Ｋ２方向に略２７０°回動自在となるようにし、左側面パネル２Ｃに接する程まで回動する構成としている。
【００３７】
また、図６（ｂ）に示すように、ドアパネル２Ａの内面側全周にパッキン部材２５を配設してドアパネル２Ａを閉めた時に、左側面パネル２Ｃと右側面パネル２Ｄと天井パネル２Ｅと底パネル２Ｆのそれぞれの端部と密着する構成としている。前記ドアパネル２Ａの縁に設けられている段付き形状の形枠２３Ｄの凹部にコーナー補強板２６を介して前記パッキン部材２５を貼り付けている。前記上把手５Ｃと下把手５Ｅを前記ロック固定具５Ｂに係合してロック状態とすると、図に示すようにパッキン部材２５が想像線に示す断面円弧状の原型を実線に示す矩形に圧縮された状態となり、周囲全体を断熱パネルで覆われると共に密閉された内部空間３０を形成する。
【００３８】
さらに、前記パッキン材２５を、第一パッキン２５ａと第二パッキン２５ｂとからなる二重の弾性変形部を備える構成とし、断熱効果をさらに高めると共に確実に密閉する構成として、保冷・保温効果を一層向上させるようにしている。
【００３９】
そのために、ドアパネル２Ａを開放した状態で、冷蔵用ロールボックスパレット１全体を冷やして、その後でドアパネル２Ａを閉めると、内部空間３０を長時間低温状態に維持することができる。これは、断熱パネルを構成するコア材である硬質ウレタンフォーム２０が備える断熱効果により、一旦冷却された硬質ウレタンフォーム２０自身が外気温度に達するまで、内部空間３０の冷却状態を長時間維持することができるからである。
【００４０】
実際に、硬質ウレタンフォーム２０を４０ｍｍ程度の厚みとし、外面板２１として１．２ｍｍ厚みの鋼板とし、内面板２２として１．２ｍｍ厚みのステンレス鋼板とした断熱パネルを用いて、ドアパネル２Ａと背面パネル２Ｂと左側面パネル２Ｃと右側面パネル２Ｄと天井パネル２Ｅと底パネル２Ｆとを作成し、冷蔵用ロールボックスパレット１を組み立てて構成した。前記ロールボックスパレット１全体の大きさは横幅が約８００ｍｍ、奥行が約６００ｍｍ、高さが約１６００ｍｍとした。この場合で、ドアパネル２Ａを開放した状態で４℃に冷却した後で、冷蔵貯蔵が必要な食品類を収納しドアパネル２Ａを閉めて屋外に放置したところ、長時間に渡って十分冷蔵する能力があることが明らかとなった。
【００４１】
このように、冷蔵保存のための冷却設備を内蔵する必要がないので、設備投資が少なくてよく、軽量化が図れると共に、コスト的に有利である。
【００４２】
また、図４と図５に示すように、パレット１０とフレーム１１、１２、１３とで構成されるボックスパレット１Ａ（図２参照）の枠体内に、全ての断熱パネルを収容して装着する構成としており、さらには、ドアパネル２Ａの蝶番部材４やロック部材５やハンドル６等も全て前記枠体内に納まる構成であって、枠体外に出っ張っておらず、運搬や搬送中に邪魔になることがない。また、他の物品や壁等に衝突して破損することもない。
【００４３】
図４に示す正面図から明らかなように、キャスター１８を備えるパレット１０とフレーム１１と１３とで囲まれる領域の内部に全て納まっている。また、図５に示す平面図からも、フレーム１１、１２、１３とパレット１０から外部にはなにも突出した部材はないことが明らかである。
【００４４】
上記したように、本発明によれば従来のボックスパレット１Ａの枠体に直接、断熱パネルとして背面パネル２Ｂと左側面パネル２Ｃと右側面パネル２Ｄとを固着して、ドアパネル２Ａを回動自在に装着する構成として、底パネル２Ｆと天井パネル２Ｅとをその他のパネル或いは枠体に固着する構成としているので、断熱パネル自体を強固に製造する必要もなく、簡単な構成とすることができる。さらに、パネル化した各断熱パネルを現場にて従来のボックスパレット１Ａの枠体に装着可能であるという効果も有する。
【００４５】
また、内面板２２にステンレス鋼板を採用しているので、食品等を安全に収納することができる。さらには、保冷性を備えた冷蔵用ロールボックスパレットであるので、食品類を冷蔵して運搬したり一定時間貯蔵することが簡単にできる。
【図面の簡単な説明】
【００４６】
【図１】本発明に係る冷蔵用ロールボックスパレットの全体概略図である。
【図２】従来のロールボックスパレットのフレーム構成を示す斜視図である。
【図３】断熱パネルの配置図を示している。
【図４】断熱パネルが装着された冷蔵用ロールボックスパレットの全体側面図である。
【図５】本発明に係る冷蔵用ロールボックスパレットの平面断面図を示している。
【図６】段付き形状の形枠を配設したパネル縁端部同士のインロー型重ね合わせを示す断面図であり、（ａ）は側面パネルと背面パネルとの重ね合わせ部を示し、（ｂ）は側面パネルとドアパネルとの重ね合わせ部を示している。
【符号の説明】
【００４７】
１  冷蔵用ロールボックスパレット
２  断熱パネル
２Ａ  ドアパネル
２Ｂ  背面パネル
２Ｃ  左側面パネル
２Ｄ  右側面パネル
２Ｅ  天井パネル
２Ｆ  底パネル
３  コーナーアングル部材
４  蝶番部材
５  ロック部材
１０  パレット
２０  硬質ウレタンフォーム
２１  外面板
２２  内面板
２３  形枠
２５  パッキン部材
【図１】
2005059893.tif 000003
【図２】
2005059893.tif 000004
【図３】
2005059893.tif 000005
【図４】
2005059893.tif 000006
【図５】
2005059893.tif 000007
【図６】
2005059893.tif 000008